(57)【特許請求の範囲】
【請求項１】
長尺状の記録媒体を搬送経路に沿って搬送する搬送手段と、
前記搬送手段により上流側から下流側に順搬送される前記記録媒体に対し前記搬送経路上の記録位置で記録処理を施す記録手段と、
前記記録位置より下流側の切断位置で前記記録媒体を切断して前記記録処理が施された部分をその部分よりも上流側の未記録部分から分離する切断手段と、
前記搬送手段により前記未記録部分の下流側端部が前記切断位置の下流側に位置するように前記記録媒体が順搬送された際に前記未記録部分に付着している切断粉を前記切断位置の下流側の除去位置にて除去する除去手段とを備え、
前記除去手段は、前記切断手段により切断された前記記録媒体の前記未記録部分に記録処理を施すべく前記搬送手段により前記記録媒体が上流側に逆搬送される際に、前記除去位置で前記未記録部分を挟持する一対の挟持体を含むとともに、前記一対の挟持体のうち少なくとも一方を前記未記録部分に対して近接及び離間させる態様にて変位させる駆動部を含み、
前記一対の挟持体は前記搬送手段の一部を構成する一対の搬送用ローラーであり、
前記記録媒体を前記記録位置に向けて逆搬送し前記除去手段により切断粉が除去された前記未記録部分に対して前記記録手段による記録処理を施す記録装置。
【請求項２】
前記駆動部は、前記一対の挟持体のうち一つの挟持体を、他の一つの挟持体と挟持した状態にある前記記録媒体に対して密着させる付勢力に抗して、前記記録媒体から離間する方向に変位させ得る機構を含んで構成される
請求項１に記載の記録装置。
【請求項３】
前記記録媒体から離間する方向に変位させ得る機構は、カム機構である
請求項２に記載の記録装置。
【請求項４】
前記一対の挟持体は、その少なくとも一方が弾性変形した状態で前記未記録部分を挟持するものである
請求項１〜３のいずれか一項に記載の記録装置。
【請求項５】
前記切断手段は前記記録媒体の一端部から他端部に向けてこれを順次切断するものであり、
前記一対の挟持体は少なくとも前記記録媒体の他端部を挟持可能な態様で設けられる
請求項１〜４のいずれか一項に記載の記録装置。
【請求項６】
前記除去手段は前記一対の搬送用ローラーにより前記未記録部分を挟持した状態で前記記録媒体を逆搬送して切断粉を除去するに際して前記一対の搬送用ローラーのうち少なくとも一方の回転を規制する回転規制部を備える
請求項１〜５のいずれか一項に記載の記録装置。
【請求項７】
長尺状の記録媒体を搬送手段により搬送経路に沿って上流側から下流側に順搬送して同搬送経路上の記録位置で前記記録媒体に対し記録処理を施す工程と、
前記記録媒体を順搬送して前記記録位置より下流側の切断位置で前記記録媒体を切断し前記記録処理が施された部分をその部分よりも上流側の未記録部分から分離する工程と、
前記未記録部分の下流側端部が前記切断位置の下流側に位置するように前記記録媒体を順搬送してその未記録部分に付着した切断粉を前記切断位置の下流側の除去位置にて除去した後、同記録媒体を前記記録位置に向けて逆搬送する工程と、
前記記録位置に逆搬送された前記記録媒体における前記未記録部分に対して記録処理を施す工程とを含み、
前記記録媒体を逆搬送する工程では、前記搬送手段の一部を構成する一対の搬送用ローラーである一対の挟持体のうち少なくとも一方を前記未記録部分に対して近接及び離間させる態様にて変位させ、前記除去位置で前記記録媒体の前記未記録部分を挟持した状態で同記録媒体を前記記録位置に向けて逆搬送する
記録装置における記録方法。
【発明の詳細な説明】
【技術分野】
【０００１】
この発明は、例えばインクジェット式プリンター等の記録装置及び同装置における記録方法に関する。
【背景技術】
【０００２】
インクジェット式プリンターに用いられる印刷用紙としては、種々の規格より予め定められた定型状のものが一般に用いられる。例えば業務用のインクジェット式プリンター等では、ロール状に巻かれた長尺状の用紙を用い、これに印刷処理を施すとともに同処理がなされた部分を下流側に順搬送して切断することによりその印刷処理がなされた部分を印刷用紙の未印刷部分から分離するようにしている。そして、こうしたインクジェット式プリンターでは印刷用紙の未印刷部分が印刷位置まで逆搬送されることに伴い、これに再び記録処理がなされる。
【０００３】
このように長尺状の印刷用紙を印刷処理の都度に切断するようにした場合には、その切断の際に紙粉が発生することがある。この場合、印刷用紙を印刷位置まで逆搬送した際に、この紙粉が印刷用紙の表面に残留したまま印刷がなされたり、逆搬送中に舞い上がった紙粉がインクジェット式プリンターの記録ヘッドに付着したりすることに起因して、正常な印刷が行えなくなったり、印刷精度の低下を招いたりするおそれがある。このため、例えば特許文献１に記載のインクジェット式プリンターでは、印刷位置の近傍に吸引孔を設け、同吸引孔により紙粉を吸引して除去するようにしている。
【先行技術文献】
【特許文献】
【０００４】
【特許文献１】特開２００３−３９７５７号公報
【発明の概要】
【発明が解決しようとする課題】
【０００５】
ところで、特許文献１に記載されるような従来のインクジェット式プリンターでは、吸引孔により紙粉を吸引して除去することができるとしても、紙粉の付着した未記録部分が一旦は印刷位置近傍まで逆搬送されることになる。そのため、吸引される前或いは吸引されなかった紙粉が印刷位置の付近に散点して後の印刷処理において印刷用紙や記録ヘッドに再付着するなどのおそれがあり、この点でなお改善の余地を残すものとなっていた。
【０００６】
またこうした問題は、インクジェット式のプリンターに限らず、電子写真方式や熱転写方式等、印刷態様の異なるプリンターにあっても同様に発生する。更に、例えば布、樹脂フィルム、樹脂シート或いは金属シート等々に記録処理を施した後に切断し、更にその未記録部分に再度記録処理を施す他の記録装置にあっても概ね共通した問題となっている。
【０００７】
この発明は、こうした従来の実情に鑑みてなされたものであり、その目的は、記録媒体の未記録部分に付着した切断粉が記録処理に及ぼす悪影響を好適に回避することのできる記録装置及び同装置における記録方法を提供することにある。
【課題を解決するための手段】
【０００８】
上記目的を達成するために、本発明の記録装置は、長尺状の記録媒体を搬送経路に沿って搬送する搬送手段と、前記搬送手段により上流側から下流側に順搬送される前記記録媒体に対し前記搬送経路上の記録位置で記録処理を施す記録手段と、前記記録位置より下流側の切断位置で前記記録媒体を切断して前記記録処理が施された部分をその部分よりも上流側の未記録部分から分離する切断手段と、前記搬送手段により前記未記録部分の下流側端部が前記切断位置の下流側に位置するように前記記録媒体が順搬送された際に前記未記録部分に付着している切断粉を前記切断位置の下流側の除去位置にて除去する除去手段とを備え、前記記録媒体を前記記録位置に向けて逆搬送し前記除去手段により切断粉が除去された前記未記録部分に対して前記記録手段による記録処理を施す。
【０００９】
この発明では、搬送経路上の記録位置で記録手段により記録処理が施された記録媒体は、搬送経路の下流側に順搬送されるとともに記録位置より下流側の切断位置で切断される。これにより、記録媒体は記録処理が施された部分がその未記録部分から分離される。こうして記録処理が施された部分が分離された記録媒体は、搬送経路の記録位置に向けてその上流側に逆搬送され、その未記録部分に記録処理が施される。ここで、上述したように記録媒体が切断される際、その切断部分から切断粉が生じてこれが切断部分近傍に付着することがある。このため、未記録部分に記録処理を施すのに先立ち、同未記録部分の下流側端部が切断位置の下流側に位置するように記録媒体を順搬送し、この未記録部分、特にその下流側端部近傍に付着した切断粉を除去するようにしている。
【００１０】
ここで、この発明によれば、こうした切断粉の除去を記録媒体の切断位置よりも下流側の除去位置にて行うようにしているため、記録媒体を切断した後にこれを逆搬送して未記録部分に記録処理を施す際に、その記録処理を施す領域に切断粉が付着した未記録部分が逆搬送されてしまうことを抑制することができる。したがって、正常な記録ができなくなったり、その記録精度が低下したりする等、記録媒体の未記録部分に付着した切断粉が記録処理に及ぼす悪影響を回避することができる。
【００１１】
また、本発明の記録装置において、前記除去手段は、前記切断手段により切断された前記記録媒体の前記未記録部分に記録処理を施すべく前記搬送手段により前記記録媒体が上流側に逆搬送される際に前記除去位置で前記未記録部分を挟持する一対の挟持体を含む。
【００１２】
この発明によれば、記録媒体の未記録部分に付着した切断粉を除去するに際して、未記録部分を一対の挟持体によって挟持した状態で記録媒体を逆搬送させるため、各挟持体によって未記録部分に付着している切断粉を同未記録部分から払拭する態様にて好適に除去することができる。更に、未記録部分に記録処理を施すべく記録位置に向けて記録媒体を逆搬送するのに併せて切断粉の除去を行うことができるため、一旦、記録処理が終了した後に切断粉を除去して記録処理を再開するまでの時間を短縮することができるようにもなる。
【００１３】
また、本発明の記録装置において、前記一対の挟持体は、その少なくとも一方が弾性変形した状態で前記未記録部分を挟持するものである。
ところで、このように一対の挟持体によって未記録部分に付着した切断粉を払拭する態様で除去するためには、記録媒体の未記録部分と各挟持体との密着性を高めた状態で、換言すれば両者の接触圧を高めた状態で記録媒体を逆搬送することが望ましい。この点、この発明によれば、挟持体の一方或いは双方を弾性変形させた状態で記録媒体の未記録部分を挟持することになるため、その弾性変形した挟持体が元の形状に戻ろうとする際に生じる弾性力により挟持体と未記録部分との接触圧を高めることができ、挟持体における切断粉の除去能力を向上させることができる。
【００１４】
また、本発明の記録装置において、前記除去手段は、前記一対の挟持体のうち少なくとも一方を前記未記録部分に対して近接及び離間させる態様にて変位させる駆動部を含む。
挟持体を弾性変形させた状態で未記録部分を挟持させることで切断粉の除去能力を高めることは可能であるものの、挟持体により未記録部分を挟持すべく、未記録部分の下流側端部が切断位置の下流側に位置するように記録媒体を順搬送して挟持体の間に未記録部分を通過させることが困難となる懸念がある。この点、この発明によれば、挟持体の一方或いは双方を未記録部分に対して近接及び離間させる態様にて変位させる駆動部を備えているため、挟持体の間に未記録部分を通過させる際には、挟持体が未記録部分から離間するようにこれを変位させて挟持体の間に未記録部分を円滑に通過させることができる。その一方、未記録部分に付着している切断粉を除去する際には、挟持体が未記録部分に近接するようにこれを変位させて接触圧を高めた状態で同未記録部分を挟持体により挟持することができるようになる。
【００１５】
また、本発明の記録装置において、前記切断手段は前記記録媒体の一端部から他端部に向けてこれを順次切断するものであり、前記一対の挟持体は少なくとも前記記録媒体の他端部を挟持可能な態様で設けられる。
【００１６】
ここで、記録媒体の切断態様としては、記録処理が施された記録部分と未記録部分との分離部分を一刀両断に切断する切断態様、その分離部分を切断方向の一端部から他端部に向けて順次切断する切断態様、等を挙げることができる。そして、後者の切断態様にあっては、切断によって生じる切断粉が切断方向の基端側となる一端部側から先端側となる他端部側に移動して他端部側に偏在する傾向がある。この点、この発明によれば、この他端部を一対の挟持体により挟持した状態で切断粉を除去することにより、より効率的に切断粉の除去を行うことができる。
【００１７】
また、本発明の記録装置において、前記一対の挟持体は前記搬送手段の一部を構成する一対の搬送用ローラーである。
切断粉の除去機能を有する一対の挟持体はこれを別途設けるようにしてもよいが、この発明におけるように、記録媒体を搬送するために設けられている一対の搬送用ローラーにこの除去機能を持たせるようにすることもできる。このように搬送用ローラーを挟持体として流用すれば、切断粉を除去するための部材を別途設ける必要がなく、記録装置の構成についてその簡略化を図ることができる。
【００１８】
また、本発明の記録装置において、前記除去手段は、前記一対の搬送用ローラーにより前記未記録部分を挟持した状態で前記記録媒体を逆搬送して切断粉を除去するに際して前記一対の搬送用ローラーのうち少なくとも一方の回転を規制する回転規制部を備える。
【００１９】
搬送用ローラーを挟持体として流用する場合には、搬送用ローラーにより未記録部分を挟持しつつ記録媒体を逆搬送して切断粉を除去する際に搬送用ローラーの一方或いは双方の回転を規制する構成を採用することが望ましい。この点、この発明によれば、搬送用ローラーの回転を回転規制部が規制するため、回転が規制された搬送用ローラーと未記録部分との間には滑り摩擦力が発生するようになる。そしてこの滑り摩擦力は、搬送用ローラーの回転を規制しない場合に同搬送用ローラーと未記録部分との間に発生する転がり摩擦力と比較して極めて大きい。従って、上記構成を採用することにより、搬送用ローラーと未記録部分との間により大きな摩擦力が発生した状態で切断粉を除去することができるようになり、その除去能力の更なる向上を図ることができる。なお、こうした搬送用ローラーの回転の規制を具現化するうえで、その回転を強制的に規制するための機構を別途設けるようにしてもよいし、搬送用ローラーが記録媒体の搬送に際してモーターを通じて回転駆動されるものであれば、そのモーターの回転を停止することで搬送用ローラーの回転を規制するようにしてもよい。
【００２０】
また、上記目的を達成するために、本発明の記録装置における記録方法は、長尺状の記録媒体を搬送経路に沿って上流側から下流側に順搬送して同搬送経路上の記録位置で前記記録媒体に対し記録処理を施す工程と、前記記録媒体を順搬送して前記記録位置より下流側の切断位置で前記記録媒体を切断し前記記録処理が施された部分をその部分よりも上流側の未記録部分から分離する工程と、前記未記録部分の下流側端部が前記切断位置の下流側に位置するように前記記録媒体を順搬送してその未記録部分に付着した切断粉を前記切断位置の下流側の除去位置にて除去した後、同記録媒体を前記記録位置に向けて逆搬送する工程と、前記記録位置に逆搬送された前記記録媒体における前記未記録部分に対して記録処理を施す工程とを含む。
【００２１】
また、本発明の記録装置における記録方法において、前記記録媒体を逆搬送する工程では、一対の挟持体を用いて前記除去位置で前記記録媒体の前記未記録部分を挟持した状態で同記録媒体を前記記録位置に向けて逆搬送する。
【００２２】
こうした記録装置における記録方法に係る発明によれば、上記構成の記録装置に係る発明と同様の作用効果を得ることができる。
【図面の簡単な説明】
【００２３】
【図１】本実施形態のプリンターの概略構成を示す概略構成図。
【図２】同プリンターの従動ローラーの正面構造を模式的に示す模式正面図。
【図３】同プリンターの電気的構成を示すブロック図。
【図４】同プリンターの平面構造を模式的に示す模式平面図。
【図５】同プリンターにおいて第１搬送機構から第３搬送機構までの間の側面構造を模式的に示す模式側面図。
【図６】同プリンターにおいて第１搬送機構から第３搬送機構までの間の側面構造を模式的に示す模式側面図。
【図７】同プリンターにおいて第１搬送機構から第３搬送機構までの間の側面構造を模式的に示す模式側面図。
【図８】同プリンターにおいて第１搬送機構から第３搬送機構までの間の側面構造を模式的に示す模式側面図。
【図９】同プリンターにおいて第１搬送機構から第３搬送機構までの間の側面構造を模式的に示す模式側面図。
【図１０】同プリンターにおいて第１搬送機構から第３搬送機構までの間の側面構造を模式的に示す模式側面図。
【発明を実施するための形態】
【００２４】
以下、本発明にかかる記録装置をインクジェット式のプリンターに具体化した一実施形態について説明する。
図１に示すように、プリンター１０には、長尺状の記録媒体としての印刷用紙Ｓをロール状に巻き重ねたロール体Ｒを回転させて印刷用紙Ｓを順次繰り出す機能を有する繰出部２０と、その繰り出された印刷用紙Ｓを搬送する搬送機構３０と、印刷用紙Ｓにインクを噴射して記録処理としての印刷処理を施す記録部８０と、印刷処理が施された印刷用紙Ｓを切断する切断部９０とが設けられている。また、繰出部２０，搬送機構３０，記録部８０及び切断部９０の動作を制御する制御装置１００が設けられている。
【００２５】
繰出部２０には、ロール体Ｒを支持するロール軸２１と、ロール軸２１を回転させるための繰出用モーター２２とが設けられている。
搬送手段として機能する搬送機構３０には、繰出部２０によってロール体Ｒから繰り出された印刷用紙Ｓがその周面に巻き掛けられる回動自在の中継ローラー３１と、印刷用紙Ｓをこの中継ローラー３１から記録部８０を経て切断部９０に搬送する第１〜第４搬送機構４０，５０，６０，７０とがそれぞれ設けられている。以下の説明では、ロール体Ｒから繰り出された印刷用紙Ｓが中継ローラー３１、第１搬送機構４０から記録部８０を経て第２搬送機構５０に搬送され、更に同第２搬送機構５０から切断部９０を経由して第３搬送機構６０、第４搬送機構７０と順に搬送される場合、即ち印刷用紙Ｓがロール体Ｒを最上流部としてその上流側から下流側に搬送される場合を「順搬送」とする。その逆に印刷用紙Ｓが下流側から上流側に搬送される場合を「逆搬送」とする。そして、印刷用紙Ｓの搬送経路Ｔは、これらロール体Ｒの支持位置、及び中継ローラー３１、第１〜第４搬送機構４０，５０，６０，７０の各配設態様によって決定されている。
【００２６】
第１及び第３及び第４搬送機構４０，６０，７０には、印刷用紙Ｓを挟持しつつ、順搬送または逆搬送するそれぞれ一対の挟持体としての搬送用ローラー４１，６１，７１が設けられている。これら各搬送用ローラー４１，６１，７１には、搬送用モーター４５，６５，７５に対して動力伝達可能に連結された各駆動ローラー４２，６２，７２と、これら駆動ローラー４２，６２，７２と印刷用紙Ｓを挟んで対向するように配置された従動ローラー４３，６３，７３とを備えている。
【００２７】
各搬送用モーター４５，６５，７５は、各駆動ローラー４２，６２，７２を正回転させて印刷用紙Ｓを順搬送する。一方、各駆動ローラー４２，６２，７２を逆回転させて印刷用紙Ｓを逆搬送する。また、各搬送用モーター４５，６５，７５はそれらの回転を停止することにより、各駆動ローラー４２，６２，７２の回転を規制する回転規制部として機能する。なお、各搬送用モーター４５，６５，７５の出力軸には、その回転速度、回転位置及び回転方向を検出するためのロータリーエンコーダー４５Ａ，６５Ａ，７５Ａ（図３参照）がそれぞれ設けられている。
【００２８】
一方、各従動ローラー４３，６３，７３の各回動軸４３Ａ，６３Ａ，７３Ａには、それら各従動ローラー４３，６３，７３を対応する駆動ローラー４２，６２，７２に近接する方向に付勢するためのスプリング４４，６４，７４がそれぞれ取り付けられている。そして、各搬送用ローラー４１，６１，７１は、これらスプリング４４，６４，７４の付勢力により各駆動ローラー４２，６２，７２及び各従動ローラー４３，６３，７３を印刷用紙Ｓに密着させてこれを挟持する状態とし、印刷用紙Ｓを順搬送または逆搬送させるための摩擦力を付与する。
【００２９】
第２搬送機構５０には、印刷用紙Ｓの幅方向Ｗにおける位置をガイドするためのガイド部材５１と、このガイド部材５１に対して印刷用紙Ｓを挟んで対向するように配置された従動ローラー５３とが設けられている。従動ローラー５３の回動軸５３Ａには、同従動ローラー５３をガイド部材５１と近接する方向に付勢するスプリング５４が設けられている。このように従動ローラー５３がガイド部材５１に接近する方向に付勢されることにより、印刷用紙Ｓはガイド部材５１及び従動ローラー５３に密着した状態で挟持される。
【００３０】
第３搬送機構６０及び第４搬送機構７０において、各搬送用ローラー６１，７１の下流側には、印刷用紙Ｓの有無を検出するセンサー６６，７６がそれぞれ設けられている。そして、制御装置１００は、これらセンサー６６，７６から出力される検出信号に基づいて、印刷用紙Ｓの下流側端部が第３搬送機構６０或いは第４搬送機構７０に達したことを検出する。
【００３１】
ここで、搬送用ローラー４１は、その従動ローラー４３がスプリング４４の付勢力によって常に印刷用紙Ｓに接触している。その一方で、各搬送用ローラー６１，７１は、それらの従動ローラー６３、７３を印刷用紙Ｓから近接離間する態様にて変位させる駆動部として機能する各カム機構６７，７７によって昇降可能に構成されている。従って、従動ローラー６３、７３は、各スプリング６４，７４の付勢力によって印刷用紙Ｓに対して密着しているが、この各カム機構６７，７７により印刷用紙Ｓから離間する方向に変位させられると、従動ローラー６３、７３は印刷用紙Ｓに対して非接触状態となる。
【００３２】
すなわち、各搬送用ローラー６１，７１は、各従動ローラー６３，７３を印刷用紙Ｓに近接するようにこれを変位させて各従動ローラー６３，７３と各駆動ローラー６２，７２との間に隙間がないようにそれらが配置されることにより、印刷用紙Ｓに対して挟持力を作用させる状態となる。また、各従動ローラー６３，７３の周面の底部が印刷用紙Ｓから上方に離間するようにこれを変位させて各従動ローラー６３，７３と各駆動ローラー６２，７２との間に隙間ができるようにそれらが配置されることにより、印刷用紙Ｓに対して挟持力を作用させない状態となる。このように、各搬送用ローラー６１，７１は、印刷用紙Ｓに対して挟持力を作用させる状態と挟持力を作用させない状態との間で切り替え可能となっている。
【００３３】
記録手段として機能する記録部８０は、搬送経路Ｔの他方側（図１では上側）に配置されたガイド軸８１と、ガイド軸８１に支持されたキャリッジ８２と、キャリッジ８２に支持された記録ヘッド８３とを備えている。ガイド軸８１は、幅方向Ｗに沿って延びるように設けられている。キャリッジ８２はガイド軸８１に案内されつつ幅方向Ｗに往復移動する。
【００３４】
また記録部８０は、搬送経路Ｔを挟んだ一方側（図１では下側）に配置された支持部材８４を備えている。支持部材８４は、上面側に設けられた支持面８４Ａで搬送される印刷用紙Ｓを支持する。支持部材８４は、その上面側に複数の吸引孔（図示略）が形成されるとともに、この吸引孔を通じて印刷用紙Ｓを吸着するための吸引機構８５が内蔵されている。
【００３５】
記録ヘッド８３には、インクを噴射する複数のノズル（図示略）が設けられている。そして、支持部材８４に支持された印刷用紙Ｓの表面（図１では上面）に記録ヘッド８３のノズルからインクが噴射されて印刷が施される。なお、以降では、記録ヘッド８３のノズルからインクが噴射される部分を「記録位置ＰＡ」とする。
【００３６】
切断手段として機能する切断部９０は、第２搬送機構５０と第３搬送機構６０との間に設けられて、搬送経路Ｔの他方側（図１では上側）に配置される回転刃９１と、搬送経路Ｔを挟んだ一方側（図１では下側）に配置される固定刃９２と、カッターモーター９３とを備えている。回転刃９１は、カッターモーター９３の駆動により回転しつつ幅方向Ｗに沿って移動することにより、印刷用紙Ｓを切断する。
【００３７】
なお、以下では、切断部９０により印刷用紙Ｓにおいてこれが切断される部分を「切断位置ＰＣ」とする。また、回転刃９１が印刷用紙Ｓの一端部から他端部に向けて移動して印刷用紙Ｓを順次切断する方向を「切断方向Ｚ」とする。また、回転刃９１により切断された印刷用紙Ｓのうち、記録が施された部分を「記録部分ＳＢ」とし、印刷が施されていない部分を「未記録部分ＳＡ」とする。
【００３８】
図２を参照して、搬送用ローラー６１のうちの従動ローラー６３の詳細な構造について説明する。
従動ローラー６３は、その回動軸６３Ａの幅方向Ｗにおける中間位置ＰＭを基準として、それぞれ対称となる位置に３つのローラーが設けられている。幅方向において中間位置ＰＭから最も近い位置には、第１ローラー６３Ｂが設けられている。また、この第１ローラー６３Ｂよりも中間位置ＰＭから離間した位置には、第２ローラー６３Ｃが設けられている。また、この第２ローラー６３Ｃよりも中間位置ＰＭから離間した位置には、第３ローラー６３Ｄが配置されている。
【００３９】
ここで、対称なそれぞれの第１ローラー６３Ｂの間の距離を「Ｌ１」とし、対称なそれぞれの第２ローラー６３Ｃの間の距離を「Ｌ２」とし、対称なそれぞれの第３ローラー６３Ｄの間の距離を「Ｌ３」とする。
【００４０】
第１ローラー６３Ｂは、幅方向Ｗの長さがＬ１の印刷用紙Ｓの端部を挟持して搬送する。また、第２ローラー６３Ｃは、幅方向Ｗの長さがＬ２の印刷用紙Ｓの端部を挟持して搬送する。また、第３ローラー６３Ｄは、幅方向Ｗの長さがＬ３の印刷用紙Ｓの端部を挟持して搬送する。
【００４１】
すなわち、搬送用ローラー６１は、幅方向Ｗの長さが異なる各印刷用紙Ｓの幅方向Ｗの長さに合わせた位置に配置されている。これにより、そのときどきの印刷処理に応じて、幅方向Ｗの長さが異なる印刷用紙Ｓの端部を挟持しつつ搬送する。
【００４２】
なお、従動ローラー６３は、弾性変形可能であり、例えばスポンジ等の多孔質材料により構成されている。従って、搬送用ローラー６１により印刷用紙Ｓを挟持するときには、従動ローラー６３が駆動ローラー６２に接近する方向に押しつけられて弾性変形した状態で印刷用紙Ｓを挟持する。一方、駆動ローラー６２は、金属材料により構成されているため、印刷用紙Ｓを挟持するときにも変形することはない。
【００４３】
次に、プリンター１０の電気的構成について説明する。
図３に示すように、制御装置１００は、コンピューター１１０と、ヘッド駆動回路１２０と、モーター駆動回路１３１，１３２，１３３とを備えている。コンピューター１１０は、バス１４０を介して、ヘッド駆動回路１２０及びモーター駆動回路１３１，１３２，１３３に電気的に接続されている。
【００４４】
コンピューター１１０は、ＡＳＩＣ（ＡｐｐｌｉＣＡｔｉｏｎ  ＳｐＥＣｉＦｉＣ  ＩＣ（特定用途向けＩＣ））１１１、ＣＰＵ１１２、ＲＯＭ１１３、ＲＡＭ１１４、不揮発性メモリー１１５を備えている。
【００４５】
ＲＯＭ１１３には、各種制御プログラム及び各種データなどが記憶されている。不揮発性メモリー１１５には、ファームウェアプログラムを始めとする各種プログラム及び印刷処理に必要な各種データなどが記憶されている。ＲＡＭ１１４には、ＣＰＵ１１２によって実行されるプログラムデータや、ＣＰＵ１１２による演算結果及び処理結果である各種データ、並びにＡＳＩＣ１１１で処理された各種データなどが一時記憶される。
【００４６】
コンピューター１１０は、ＣＰＵ１１２がＲＯＭ１１３等に記憶されたプログラムを実行することで、各種の制御を行う。例えば、コンピューター１１０は、ヘッド駆動回路１２０を介して記録ヘッド８３を制御するとともに、モーター駆動回路１３１，１３２，１３３を介してそれぞれ繰出用モーター２２、カッターモーター９３、各搬送用モーター４５，６５，７５を制御する。
【００４７】
なお、コンピューター１１０は、各ロータリーエンコーダー４５Ａ，６５Ａ，７５Ａからの検出信号やセンサー６６，７６の検出結果に基づいて、記録ヘッド８３、繰出用モーター２２、各搬送用モーター４５，６５，７５及びカッターモーター９３の駆動を制御する。
【００４８】
次に、プリンター１０の作用について説明する。
印刷処理が実行されると、繰出用モーター２２が駆動されてロール軸２１が回転される。その後、搬送用モーター４５，６５，７５が駆動されて各搬送用ローラー４１，６１，７１が正回転することにより、印刷用紙Ｓが搬送経路Ｔに沿って順搬送される。そして、印刷用紙Ｓは、その幅方向Ｗの位置を支持部材８４や図示しないガイド部材によりガイドされつつ、搬送経路Ｔ上の記録位置ＰＡまで搬送される。記録位置ＰＡにおいては、第１の工程（順搬送後の記録処理工程）として、記録部８０により印刷用紙Ｓに対して印刷処理が施される。
【００４９】
なお、プリンター１０では、１つの印刷処理に含まれる印刷データを複数に分割し、分割された各印刷データに基づく印刷処理をキャリッジ８２の走査毎に行うとともに、各印刷処理の合間に、印刷用紙Ｓの印刷が施された部分が間欠的に搬送されるようになっている。すなわち、記録部８０では、幅方向Ｗが長手方向となる帯状の画像の形成と紙送りとが交互に繰り返されることで、１つの印刷処理に基づく画像が形成される。
【００５０】
次に、第２の工程（分離工程）として、印刷が施された印刷用紙Ｓは、記録位置ＰＡの下流側となる切断位置ＰＣにおいて、切断部９０により切断される。これにより、切断部９０よりも上流側に位置する未記録部分ＳＡと切断部９０よりも下流側に位置する記録部分ＳＢとが分離される。印刷用紙Ｓは、搬送機構３０による印刷用紙Ｓの搬送を停止させ、上流側を支持部材８４の吸引機構８５で保持する一方、下流側を搬送用ローラー６１で挟持することにより保持した状態で切断される。なお以降では、未記録部分ＳＡの下流側端部を「先端部ＳＴ」とする。
【００５１】
また、プリンター１０は、切断位置ＰＣよりも上流側の部分に対して印刷を行うため、印刷用紙Ｓの搬送を停止するタイミングに合わせて、印刷用紙Ｓが切断される。具体的には、センサー６６からの信号を検出したときの駆動ローラー６２の回転速度及び検出後の経過時間に基づいて、印刷用紙Ｓがセンサー６６から下流側に搬送された距離を算出し、その算出結果に基づいて駆動ローラー６２の駆動を停止したときに印刷用紙Ｓが切断される。そして、切断されてカットシートとなった記録部分ＳＢは、搬送機構３０によって停止されることなく連続的に搬送され、図示しない排紙部に排紙される。
【００５２】
なお、プリンター１０では、記録部８０において、長尺状の印刷用紙Ｓの表面に対して余白となる間隔をあけつつ複数の画像を印刷するとともに、余白部分で印刷用紙Ｓの先端側を順次切断していくことで、例えば所定のプリントサイズの写真印刷を行うようになっている。
【００５３】
印刷用紙Ｓの切断が実行された後、印刷用紙Ｓに対して再び印刷処理を施す際には、その印刷処理に先立ち、第３工程（逆搬送工程）として、各駆動ローラー４２，６２，７２を逆回転させることにより印刷用紙Ｓの先端部ＳＴが逆搬送される。すなわち、記録ヘッド８３を通過しても印刷されていない印刷用紙Ｓの部分を記録ヘッド８３と対向する領域内の最も下流側の位置まで戻す作業が実行される。
【００５４】
ところで、プリンター１０では、印刷用紙Ｓを切断する際に先端部ＳＴの近傍に切断粉としての紙粉が発生することがあり、特にこの紙粉は切断方向Ｚに偏在する傾向がある。そして、印刷用紙Ｓを記録位置ＰＡまで逆搬送する際のこの印刷用紙Ｓに付着した紙粉に起因する印刷への悪影響については上述したとおりである。
【００５５】
これに対して、プリンター１０では、切断位置ＰＣよりも下流側に配置された搬送用ローラー６１の下流側に位置するように切断位置ＰＣにて切断された未記録部分ＳＡの先端部ＳＴを順搬送した後に、未記録部分ＳＡを搬送用ローラー６１で挟持した状態で、記録位置ＰＡまで逆搬送する。
【００５６】
図４〜図８を参照して、第１の工程後にプリンター１０により実行される一連の工程について説明する。なお、ここでは、第１搬送機構４０から第３搬送機構６０までの間に配置される構成の動作について説明し、その他の構成の動作については省略する。
【００５７】
図５に示すように、第１の工程後に印刷用紙Ｓは順搬送される。
すなわち、制御装置１００は、搬送用ローラー４１の駆動ローラー４２を搬送用モーター４５を通じて正回転させる。これにより、搬送用ローラー４１は、印刷用紙Ｓを挟持した状態で印刷用紙Ｓに対して搬送力を付与して印刷用紙Ｓを順搬送する。そして、印刷用紙Ｓの下流側の先端部は、切断部９０の配設位置を下流側に向けて通過した後に、第３搬送機構６０の配設位置に進入する。なおこのとき、カム機構６７により従動ローラー６３が印刷用紙Ｓに対して上方に離間して配置されると、搬送用ローラー６１が印刷用紙Ｓに対して挟持力を作用させない状態となる。
【００５８】
図６に示すように、第１の工程後に実行される第２の工程として、センサー６６からの信号に基づいて、印刷用紙Ｓは、切断部９０により切断位置ＰＣにて切断される。
すなわち、制御装置１００は、センサー６６が印刷用紙Ｓを検出した時点から印刷用紙Ｓが搬送される距離を算出し、その算出結果に基づいて、例えば図４における位置Ｐ１まで印刷用紙Ｓの先端部が順搬送されたときに、駆動ローラー４２，６２の回転駆動を搬送用モーター４５，６５の駆動を停止させることにより停止させる。なおこのとき、従動ローラー６３が印刷用紙Ｓに対して近接して配置されることにより、搬送用ローラー６１が印刷用紙Ｓに対して挟持力を付与する状態となる。
【００５９】
そして、制御装置１００は、印刷用紙Ｓが搬送用ローラー４１，６１に挟持された状態のもと、カッターモーター９３を駆動させることにより回転刃９１が回転駆動されて、印刷用紙Ｓが未記録部分ＳＡと記録部分ＳＢとに分離される。
【００６０】
このとき、未記録部分ＳＡの下流側の先端部ＳＴ及び記録部分ＳＢの上流側の先端部の近傍、すなわち図６の一点鎖線にて囲まれる部分Ａに紙粉が発生し、その中でも特に切断方向Ｚの端部（図４の一点鎖線にて囲まれる部分Ａ）に紙粉が偏在する状態となる。
【００６１】
図７に示すように、第２の工程後に実行される排紙工程として、切断された記録部分ＳＢが下流側の排紙部に向けて搬送される。
すなわち、制御装置１００は、搬送用ローラー６１の駆動ローラー６２を搬送用モーター６５の駆動を通じて正回転させる。これにより、搬送用ローラー６１は、記録部分ＳＢを挟持した状態で同部分ＳＢに対して搬送力を付与することにより印刷用紙Ｓを順搬送して排紙部に排出する。なおこのとき、制御装置１００は、搬送用モーター４５の駆動を停止させることにより、駆動ローラー４２の回転を停止させる。
【００６２】
図８に示すように、排紙工程後に実行される第３の工程中の前工程として、未記録部分ＳＡの先端部ＳＴが搬送用ローラー６１よりも下流側まで順搬送される。
すなわち、制御装置１００は、搬送用ローラー４１の駆動ローラー４２を搬送用モーター４５の駆動を通じて正回転させる。これにより、搬送用ローラー４１は、未記録部分ＳＡを切断位置ＰＣの下流側まで順搬送する。なおこのとき、従動ローラー６３が印刷用紙Ｓに対して上方に離間して配置されることにより、搬送用ローラー６１が印刷用紙Ｓに対して挟持力を作用させない状態となる。
【００６３】
図９に示すように、第３の工程中の前工程後に実行される第３の工程中の中工程として、紙粉が付着した未記録部分ＳＡの先端部ＳＴよりも上流側の部分が搬送用ローラー６１により挟持される。
【００６４】
すなわち、制御装置１００は、センサー６６が未記録部分ＳＡの先端部ＳＴを検出したことに基づいて、図４における位置Ｐ２まで先端部ＳＴが搬送された旨判断したときに、搬送用モーター４５，６５の駆動を停止させることにより駆動ローラー４２，６２の回転を停止させる。なおこのとき、従動ローラー６３が印刷用紙Ｓに対して近接して配置されることにより、同ローラー６３が弾性変形した状態で搬送用ローラー６１が印刷用紙Ｓに対して挟持力を付与する状態となる。
【００６５】
図１０に示すように、第３の工程中の中工程後に実行される第３の工程中の後工程として、搬送用ローラー６１における下流側端部（以下、「除去位置ＰＲ」）にて紙粉が除去された後、未記録部分ＳＡが記録位置ＰＡに向けて逆搬送される。
【００６６】
すなわち、制御装置１００は、搬送用ローラー６１の回転を停止した状態のままで搬送用ローラー４１の駆動ローラー４２を搬送用モーター４５を通じて逆回転させる。これにより、搬送用ローラー４１は、印刷用紙Ｓを挟持した状態で印刷用紙Ｓに対して搬送力を付与して印刷用紙Ｓを逆搬送する。このとき、搬送用ローラー６１により未記録部分ＳＡの先端部ＳＴに付着した紙粉が除去位置ＰＲにて同先端部ＳＴから払拭される。
【００６７】
そして、未記録部分ＳＡの先端部ＳＴは、切断部９０及び第２搬送機構５０の配設位置を下流側に向けて通過した後に、記録位置ＰＡにおける最下流側（図４の位置Ｐ３）に進入する。
【００６８】
そして、第３の工程の後工程後に実行される第４の工程（逆搬送後の記録処理工程）として、記録位置ＰＡにおいて、記録部８０により未記録部分ＳＡに印刷処理が施される。
以上のように、未記録部分ＳＡは、その先端部ＳＴに紙粉が付着した状態にて、先端部ＳＴよりも上流側の部分が搬送用ローラー６１により挟持された状態で、記録位置ＰＡにおける下流側の位置（図４の位置Ｐ３）まで逆搬送される。このとき、先端部ＳＴに付着した紙粉は、搬送用ローラー６１を通過することなく、除去位置ＰＲにおいて搬送用ローラー６１により印刷用紙Ｓから払拭されるようにして除去される。すなわち、紙粉は、従動ローラー６３が弾性変形して印刷用紙Ｓに密着する部分にて除去される。このように、搬送用ローラー６１が除去手段として機能する。
【００６９】
上記実施形態によれば、以下のような効果を得ることができる。
（１）未記録部分ＳＡに印刷処理を施すのに先立ち、同未記録部分ＳＡの先端部ＳＴが切断位置ＰＣの下流側に位置するように印刷用紙Ｓを順搬送し、搬送用ローラー６１により未記録部分ＳＡを挟持した状態で印刷用紙Ｓを逆搬送して紙粉を除去している。このため、紙粉が付着した未記録部分ＳＡが記録位置ＰＡに逆搬送されることを抑制することができる。
【００７０】
（２）印刷用紙Ｓの未記録部分ＳＡに付着した紙粉を除去するに際し、搬送用ローラー６１により未記録部分ＳＡを挟持した状態で印刷用紙Ｓを逆搬送している。このため、駆動ローラー６２及び従動ローラー６３により未記録部分ＳＡに付着した紙粉を除去位置ＰＲにて同未記録部分ＳＡから払拭する態様にて好適に除去することができる。
【００７１】
（３）未記録部分ＳＡに印刷処理を施すべく記録位置ＰＡに向けて印刷用紙Ｓを逆搬送するのに併せて除去位置ＰＲにて紙粉の除去を行うようにしている。このため、一旦、印刷処理が終了した後に紙粉を除去して印刷処理を再開するまでの時間を短縮することができるようにもなる。
【００７２】
（４）従動ローラー６３を弾性変形させた状態で印刷用紙Ｓの未記録部分ＳＡを挟持させるようにしている。このため、弾性変形した従動ローラー６３が元の形状に戻ろうとする際に生じる弾性力により搬送用ローラー６１と未記録部分ＳＡとの接触圧を高めることができ、搬送用ローラー６１における紙粉の除去能力を向上させることができる。
【００７３】
（５）従動ローラー６３を未記録部分ＳＡから近接及び離間させる態様にて変位させるカム機構６７を備える構成を採用している。このため、搬送用ローラー６１の間に未記録部分ＳＡを通過させる際には、従動ローラー６３が未記録部分ＳＡから離間するようにこれを変位させて搬送用ローラー６１の間に未記録部分ＳＡを円滑に通過させることができる。その一方、未記録部分ＳＡに付着した紙粉を除去する際には、従動ローラー６３が未記録部分ＳＡに近接するようにこれを変位させて接触圧を高めた状態で同未記録部分ＳＡを搬送用ローラー６１により挟持することができるようになる。
【００７４】
（６）従動ローラー６３を多孔質材料にて形成している。このため、除去した紙粉をその細孔の内部に捕捉しておくことができ、搬送用ローラー６１により除去された紙粉が未記録部分ＳＡに再付着することを抑制することができる。
【００７５】
（７）印刷用紙Ｓにおける切断方向Ｚの一端部及び他端部のうち紙粉が偏在する切断方向Ｚの先端側となる端部（本実施形態では他端部）を搬送用ローラー６１により挟持した状態で、印刷用紙Ｓを逆搬送している。このため、より効率的に紙粉の除去を行うことができる。
【００７６】
（８）印刷用紙Ｓを搬送するために設けられている搬送用ローラー６１に紙粉を除去する機能を持たせるようにしている。このため、紙粉を除去するための部材を別途設ける必要がなく、プリンター１０の構成についてその簡略化を図ることができる。
【００７７】
（９）搬送用ローラー６１により未記録部分ＳＡを挟持しつつ印刷用紙Ｓを逆搬送して紙粉を除去する際に駆動ローラー６２の回転を停止させるようにしている。このため、回転が停止された駆動ローラー６２と未記録部分ＳＡとの間には滑り摩擦力が発生するようになる。そしてこの滑り摩擦力は、搬送用ローラー６１の回転を停止しない場合に同搬送用ローラー６１と未記録部分ＳＡとの間に発生する転がり摩擦力と比較して極めて大きい。従って、上記構成を採用することにより、搬送用ローラー６１と未記録部分ＳＡとの間により大きな摩擦力が発生した状態で紙粉を除去することができるようになり、その除去能力の更なる向上を図ることができる。
【００７８】
なお、上記実施形態は以下のように変更してもよい。
・切断位置ＰＣよりも下流側に印刷用紙Ｓの幅方向Ｗに沿って延びるガイド軸を設け、このガイド軸に印刷用紙Ｓが接触するブラシを設けるようにして紙粉を除去するようにしてもよい。
【００７９】
・切断位置ＰＣよりも下流側に紙粉を吹き飛ばすことのできる機構を設けるようにしてもよい。また、回転することなく、印刷用紙Ｓを挟持する挟持部材を設けるようにしてもよい。
【００８０】
・従動ローラー６３は、粘着性を有する材料により形成してもよい。この構成によれば、除去した紙粉をその粘着力により捕捉しておくことができるため、搬送用ローラー６１により除去された紙粉が未記録部分ＳＡに再付着することを抑制することができる。また、多孔質材料且つ粘着性を有する材料により形成することもできる。
【００８１】
・第２の工程後に搬送用ローラー６１よりも下流側に未記録部分ＳＡを搬送した後、駆動ローラー６２を正回転させつつ、未記録部分ＳＡを逆搬送することにより紙粉を除去してもよい。この場合には、搬送用ローラー６１の回転方向と印刷用紙Ｓが引き戻される方向が逆方向となるため、印刷用紙Ｓの表面に付着した紙粉を払拭して下流側に押し出すことができ、紙粉を除去する効果が高まる。
【００８２】
・上記変形例において、駆動ローラー６２を正回転させることに代えて、従動ローラー６３を駆動させるための駆動モーターを設けることにより、従動ローラーを正回転させるようにしてもよい。また、従動ローラー６３の回転を停止させるためのストッパーを設けるようにすることにより、駆動ローラー６２を正回転させる一方、従動ローラー６３の回転は停止させるようにしてもよい。
【００８３】
・駆動ローラー６２が弾性変形可能なスポンジ等により形成され、従動ローラー６３が金属等の弾性変形不能な材料により形成されるようにしてもよい。また、いずれのローラー６２，６３も弾性変形可能な材料により形成されるようにしてもよい。
【００８４】
・切断方向Ｚとは反対方向の端部の搬送用ローラー６１を省略してもよい。
・第１及び第２及び第３ローラー６３Ｂ，６３Ｃ，６３Ｄといった複数のローラーに代えて回動軸６３Ａの周囲で且つその延伸方向全体において同径のローラーにしてもよい。
【００８５】
・切断部９０は、切断位置ＰＣにて未記録部分ＳＡと記録部分ＳＢとが分離される部分を同時に切断する構成としてもよい。
・センサー６６からの信号に基づいて、切断部９０により印刷用紙Ｓを切断することに代えて、印刷処理終了後に搬送用ローラー４１を回転させた時間及び駆動ローラー４２の回転数を把握することにより、印刷用紙Ｓが搬送された距離を算出して切断するようにしてもよい。
【００８６】
・記録媒体は、印刷用紙Ｓに限定されず、布や樹脂フィルム、樹脂シート、金属シートなどでもよい。
・記録方式としてインクジェット方式を採用したが、この限りではなく、電子写真方式や熱転写方式など、任意の方式を採用することができる。また、記録装置はプリンターに限らず、ＦＡＸ装置、コピー装置、あるいはこれら複数機能を備えた複合機等に具体化してもよい。さらに、インクジェット方式においても、インク以外の他の液体を噴射したり吐出したりする液体噴射装置を採用してもよく、微小量の液滴を吐出させる液体噴射ヘッド等を備える各種の液体噴射装置に流用可能である。なお、液滴とは、上記液体噴射装置から吐出される液体の状態をいい、粒状、涙状、糸状に尾を引くものを含むものとする。また、ここでいう液体とは、液体噴射装置から噴射可能な材料であればよい。例えば、物質が液相であるときの状態のものであれば、粘性の高い又は低い液状体、ゾル、ゲル水、その他の無機溶剤、有機溶剤、溶液、液状樹脂、液状金属（金属融液）のような流状態であればよい。また物質の一状態としての液体のみならず、顔料や金属粒子などの固形物からなる機能材料の粒子が溶媒に溶解、分散又は混合されたものなども含む。また、液体の代表的な例としては上記実施形態で説明したようなインクや液晶等が挙げられる。ここで、インクとは一般的な水性インク及び油性インク並びにジェルインク、ホットメルトインク等の各種液体組成物を包含するものとする。液体噴射装置の具体例としては、例えば液晶ディスプレイ、ＥＬ（エレクトロルミネッセンス）ディスプレイ、面発光ディスプレイ、カラーフィルタの製造などに用いられる電極材や色材などの材料を分散又は溶解のかたちで含む液体を噴射する液体噴射装置、バイオチップ製造に用いられる生体有機物を噴射する液体噴射装置、精密ピペットとして用いられ試料となる液体を噴射する液体噴射装置、捺染装置やマイクロディスペンサ等であってもよい。さらに、時計やカメラ等の精密機械にピンポイントで潤滑油を噴射する液体噴射装置、光通信素子等に用いられる微小半球レンズ（光学レンズ）などを形成するために紫外線硬化樹脂等の透明樹脂液を基板上に噴射する液体噴射装置、基板などをエッチングするために酸又はアルカリ等のエッチング液を噴射する液体噴射装置を採用してもよい。そして、これらのうちいずれか一種の液体噴射装置に本発明を適用することができる。
【符号の説明】
【００８７】
１０…記録装置として機能するプリンター、３０…搬送手段として機能する搬送機構、６１…除去手段及び挟持体として機能する搬送用ローラー、６２…駆動ローラー、６３…従動ローラー、６５…回転規制部として機能する搬送用モーター、８０…記録手段として機能する記録部、９０…切断手段として機能する切断部、Ｓ…長尺状の記録媒体としての印刷用紙、ＳＴ…先端部、ＳＡ…未記録部分、Ｔ…搬送経路、Ｚ…切断方向、Ｗ…幅方向、ＰＡ…記録位置、ＰＣ…切断位置、ＰＲ…除去位置。
【図１】
0005581926.tif 000002
【図２】
0005581926.tif 000003
【図３】
0005581926.tif 000004
【図４】
0005581926.tif 000005
【図５】
0005581926.tif 000006
【図６】
0005581926.tif 000007
【図７】
0005581926.tif 000008
【図８】
0005581926.tif 000009
【図９】
0005581926.tif 000010
【図１０】
0005581926.tif 000011